(57)【特許請求の範囲】
【請求項１】
遊技球が転動可能な遊技領域を有する遊技盤と、
前記遊技盤に設けられた図柄表示器と、
前記遊技盤の後方に設けられ、大当りおよび外れを遊技者に報知する図柄遊技の映像を前記図柄表示器に表示する制御回路と、
前記遊技盤の前方に設けられ、前記遊技盤の遊技領域内に発射するための遊技球が貯留される貯留皿と、
前記遊技盤の後方に設けられ、遊技球を前記貯留皿内に供給する球供給機構と、
前記遊技盤の後方に前記制御回路の上方に位置して設けられ、前記球供給機構に遊技球を流すタンクレールと、
前記遊技盤の後方に前記タンクレールの上方に位置して設けられ、前記タンクレールに供給するための遊技球が貯留された球タンクと、
前記制御回路を後方から覆うように前記遊技盤の後方に設けられ、後板および後板を取囲む周板を有するカバーを備え、
前記カバーの周板には、左側部に位置して前記遊技盤の後方に接合される左接合部が設けられ、
前記カバーの周板には、右側部に位置して前記遊技盤の後方に接合される右接合部が設けられ、
前記カバーの周板には、上端部に位置して前記球タンクまたは前記タンクレールに後方から隙間を介して対向する非接触部が設けられていることを特徴とするパチンコ遊技機。
【請求項２】
前記球タンクおよび前記非接触部相互間の隙間または前記タンクレールおよび前記非接触部相互間の隙間には、ゴム製の弾性部材が設けられていることを特徴とする請求項１に記載のパチンコ遊技機。
【請求項３】
前記左接合部は、ゴム製の左弾性部材を介して前記遊技盤の後方に接合され、
前記右接合部は、ゴム製の右弾性部材を介して前記遊技盤の後方に接合されていることを特徴とする請求項１〜２のいずれかに記載のパチンコ遊技機。
【発明の詳細な説明】
【技術分野】
【０００１】
本発明は、大当りおよび外れを遊技者に報知する図柄遊技の映像が表示される図柄表示器を備えたパチンコ遊技機に関する。
【背景技術】
【０００２】
上記パチンコ遊技機には、図柄表示器の表示内容を制御する制御回路および前面が開口する容器状のカバーのそれぞれを遊技盤の後方に接合した構成のものがある。このカバーは後板および後板を取囲む周板を有するものであり、制御回路に不正に手を触れることができないように制御回路を後方から覆っている。この構成の場合、遊技盤の後方に制御回路を取囲むように複数の部品が配置されており、複数の部品の少なくとも一部がカバーの周板に前方から対向してしまう事情がある。
【特許文献１】特開平７−３０３７５０号公報
【発明の開示】
【発明が解決しようとする課題】
【０００３】
上記パチンコ遊技機の場合、例えばパチンコ遊技機を搬送するときにパチンコ遊技機が後方へ倒れたときにはカバーが前方の部品に衝突する。このため、前方の部品がカバーからの衝撃力で直接的に変形または破損したり、前方の部品から電子部品等の別の部品に衝撃力が伝わることに基づいて別の部品が変形または破損する虞がある。
【０００４】
本発明は上記事情に鑑みてなされたものであり、その目的は、パチンコ遊技機が後方へ倒れることに基づいて部品が衝撃力で変形または破損することを防止することにある。
【課題を解決するための手段】
【０００５】
１．請求項１記載のパチンコ遊技機の説明
請求項１記載のパチンコ遊技機は［１］遊技盤〜［１１］非接触部を備えたところに特徴を有している。
［１］遊技盤は遊技球が転動可能な遊技領域を有するものである。図３の符号２１は遊技盤の一例であり、図３の符号３１は遊技盤２１の遊技領域を示している。
［２］図柄表示器は遊技盤に設けられたものであり、図３の符号４５は図柄表示器の一例である。
［３］制御回路は遊技盤の後方に設けられたものであり、大当りおよび外れを遊技者に報知する図柄遊技の映像を図柄表示器に表示するものである。図４の図柄制御回路４７は制御回路の一例である。図６は図柄制御回路４７が図柄表示器４５に表示する装飾図柄遊技の映像の一例を示すものであり、装飾図柄遊技の映像は図柄遊技の映像に相当する。
［４］貯留皿は遊技盤の前方に設けられたものであり、遊技盤の遊技領域内に発射するための遊技球が貯留されるものである。図１の上皿１９は貯留皿の一例である。
［５］球供給機構は遊技盤の後方に設けられたものであり、遊技球を貯留皿内に供給するものである。図４の賞球払出装置４２は球供給機構の一例である。
［６］タンクレールは遊技盤の後方に制御回路の上方に位置して設けられたものであり、球供給機構に遊技球を流すものである。図４の符号４０はタンクレールの一例である。
［７］球タンクは遊技盤の後方にタンクレールの上方に位置して設けられたものであり、タンクレールに供給するための遊技球が貯留されたものである。図４の符号３９は球タンクの一例である。
［８］カバーは制御回路を後方から覆うように遊技盤の後方に設けられたものであり、図７のセンタカバー５１はカバーの一例である。このカバーは後板および後板を取囲む周板を有するものであり、図８の符号５２は後板の一例であり、図８の符号５３は周板の一例である。
［９］左接合部はカバーの周板の左側部に設けられたものであり、遊技盤の後方に接合されるものである。図８の左プレート５５は左接合部の一例である。
［１０］右接合部はカバーの周板の右側部に設けられたものであり、遊技盤の後方に接合されるものである。図８の右プレート５６は右接合部の一例である。
［１１］非接触部はカバーの周板の上端部に設けられたものであり、球タンクまたはタンクレールに後方から隙間を介して対向するものである。図１０の（ｃ）の符号６７はタンクレール４０に後方から隙間６８を介して対向する非接触部の一例である。このパチンコ遊技機が後方へ倒れたときにはカバーが左接合部および右接合部のそれぞれを中心に回動するように変位し、カバーの周板のうちパチンコ遊技機の下端面から最も遠い上端部に最も大きな衝撃力が作用する。この周板の上端部が前方の球タンクまたは前方のタンクレールに隙間を介して対向配置されているので、周板の上端部が球タンクまたはタンクレールに接触し難くなるか、あるいは、周板の上端部が球タンクまたはタンクレールに接触するときの衝撃力が弱められる。従って、球タンクまたはタンクレールがカバーからの衝撃力で直接的に変形または破損することを防止でき、球タンクまたはタンクレールから電子部品等の別の部品に衝撃力が伝わることに基づいて別の部品が変形または破損することも防止できる。
２．請求項２記載のパチンコ遊技機の説明
請求項２記載のパチンコ遊技機は球タンクおよび非接触部相互間の隙間またはタンクレールおよび非接触部相互間の隙間にゴム製の弾性部材を設けたところに特徴を有している。このため、カバーから球タンクまたはタンクレールに直接的に加わる衝撃力の緩和効果および球タンクまたはタンクレールから電子部品等の別の部品に加わる間接的な衝撃力の緩和効果のそれぞれを大きく損なうことなく、球タンクおよび非接触部相互間の隙間またはタンクレールおよび非接触部相互間の隙間からカバーの内部に埃等の異物が侵入することを防止することができる。図１１のクッション部６９は弾性部材の一例である。
３．請求項３記載のパチンコ遊技機の説明
請求項３記載のパチンコ遊技機は左接合部を遊技盤の後方にゴム製の左弾性部材を介して接合し、右接合部を遊技盤の後方にゴム製の右弾性部材を介して接合したところに特徴を有している。このため、パチンコ遊技機が後方へ倒れたときに左接合部に加わる衝撃力および右接合部に加わる衝撃力のそれぞれが緩和されるので、左接合部および右接合部のそれぞれが衝撃力で変形または破損することを防止できる。図９の右クッション板６３は右弾性部材の一例であり、図９の左クッション板６４は左弾性部材の一例である。
【発明を実施するための最良の形態】
【０００６】
【実施例１】
【０００７】
図１の外枠１はパチンコホールの台島に設置されるものである。この外枠１は木材を前後面が開口する四角筒状に接合することから構成されたものであり、外枠１の前端面には下端部に位置して横長な長方形状の幕板２が固定されている。この外枠１には、図２に示すように、内枠３が左側部の垂直な軸４を中心に回動可能に装着されている。この内枠３は外枠１の前面を覆う閉鎖状態および外枠１の前面を開放する開放状態に軸４を中心に相互に回動操作されるものであり、図２は内枠３を閉鎖状態で示している。この内枠３は前後面が開口する四角筒状をなすものであり、内枠３には左上隅部および右上隅部のそれぞれに位置してスピーカ５が固定されている。
【０００８】
内枠３の下端部には横長な長方形状の台板６が形成されており、台板６の前面には発射レール７が固定されている。この発射レール７は右から左へ向って上昇する傾斜状をなすものであり、断面Ｖ字状をなしている。この発射レール７の右端部にはストッパベース８が形成されている。このストッパベース８は発射レール７に対して直交する平板状をなすものであり、ストッパベース８には下端部に位置して貫通状の打球孔が形成され、打球孔の上方に位置して台形状のストッパ８ａが固定されている。
【０００９】
台板６の前面には発射レール７の下方に位置して円柱状の発射ソレノイド９が固定されている。この発射ソレノイド９はロータリーソレノイドからなるものであり、前後方向へ延びる出力軸を有している。この発射ソレノイド９の出力軸には打球槌１０が連結されており、発射ソレノイド９のオフ状態では打球槌１０が発射レール７から離間する待機位置（図２の実線参照）に回動操作され、発射ソレノイド９のオン状態では打球槌１０が発射レール７に接近する打球位置（図２の二点差線参照）に回動操作される。この打球槌１０の先端部には突状の打球部１１が形成されており、打球部１１は打球槌１０が打球位置に回動操作されることに基づいてストッパ８の打球孔を通して発射レール７上に侵入し、打球槌１０が待機位置に回動操作されることに基づいて発射レール７上から退避する。
【００１０】
内枠３の前面側には、図２に示すように、幕板２の上方に位置して横長な長方形状の下皿板１２が固定されている。この下皿板１２は台板６の前方に配置されたものであり、下皿板１２の前面には下皿１３が固定されている。この下皿１３は遊技球が貯留されるものであり、上面が開口する容器状をなしている。この下皿１３の右方にはハンドル台１４が配置されている。このハンドル台１４は下皿板１２の前面に固定されたものであり、ハンドル台１４には発射ハンドル１５が装着されている。この発射ハンドル１５は前後方向へ延びる軸を中心に回動可能にされたものであり、発射ハンドル１５が予め決められた原位置から時計回り方向へ回動操作されたときには発射ソレノイド９に駆動電源が与えられることに基づいて打球槌１０が待機位置および打球位置相互間で往復動を繰返す。
【００１１】
内枠３の前面側には、図１に示すように、前枠１６が左側部の垂直な軸１７を中心に回動可能に装着されており、下皿板１２は前枠１６の下方に配置されている。この前枠１６の軸１７は内枠３の軸４の前方に設定されたものであり、前枠１６は内枠３の前面を閉鎖する閉鎖状態および内枠３の前面を開放する開放状態相互間で軸１７を中心に回動可能にされている。この前枠１６の左上隅部および右上隅部のそれぞれには円形状のスピーカカバー１８が固定されており、左上隅部のスピーカカバー１８は前枠１６の閉鎖状態で内枠３の左上隅部のスピーカ５の前方に配置され、右上隅部のスピーカカバー１８は前枠１６の閉鎖状態で内枠３の右上隅部のスピーカ５の前方に配置される。
【００１２】
前枠１６の前面には、図１に示すように、貯留皿に相当する上皿１９が固定されている。この上皿１９は遊技球が貯留されるものであり、上面が開口する容器状をなしている。この上皿１９内の遊技球は上皿１９内から発射レール７上の右端部に１個単位で移送されるものであり、ストッパベース８は発射レール７上の右端部に移送された遊技球を係止することに基づいて遊技球が発射レール７の右端部から転落することを阻止する。この状態では遊技球が発射レール７の前側部と発射レール７の後側部とストッパ８ａの下端部の３点に接触する。この遊技球の移送は打球槌１０が打球位置から待機位置に回動することに電気的に連動して移送機構が行うものであり、打球槌１０の打球部１１は打球槌１０が待機位置から打球位置に回動することに基づいてストッパベース８が係止する遊技球を打球孔を通して叩き、打球部１１が叩いた遊技球は発射レール７に沿って右から左へ転動した後に発射レール７の左端部から発射される。
【００１３】
内枠３には、図２に示すように、台板６の上方に位置して空間状の遊技盤収納部２０が形成されており、遊技盤収納部２０内には、図３に示すように、遊技盤２１が収納されている。この遊技盤２１は透明な合成樹脂製の板からなるものであり、遊技盤２１の前面には内レール２２と外レール２３と球止め部材２４のそれぞれが固定されている。内レール２２は上面が開口する円弧状をなすものであり、外レール２３は内レール２２の外周部に配置され、球止め部材２４は内レール２２の右端部および外レール２３の右端部相互間の隙間を塞いでいる。
【００１４】
内レール２２および外レール２３相互間には左側部に位置して円弧状の発射通路２５が形成されており、発射通路２５の上端部には出口２６が形成され、発射通路２５の下端部には入口２７が形成されている。この入口２７は発射レール７の左端部に隙間状の球回収口２８を介して対向しており、遊技球が発射レール７の左端部から限度値を上回る強い勢いで発射されたときには球回収口２８を飛び越えて発射通路２５の入口２７内に進入し、発射通路２５に沿って円弧状の軌跡を描きながら上昇した後に出口２６から放出される。この球回収口２８は下皿１３内に球回収通路を介して接続されており、遊技球が発射レール７の左端部から限度値以下の弱い勢いで発射されたときには球回収口２８内に落下し、球回収口２８から球回収通路を通して下皿１３内に排出される。
【００１５】
前枠１６には、図１に示すように、円形状の貫通孔２９が形成されている。この貫通孔２９の内周面には透明な窓３０が固定されており、窓３０は前枠１６の閉鎖状態で遊技盤２１の遊技領域３１を前方から視覚的に認識可能に覆う。この遊技領域３１は、図３に示すように、内レール２２と外レール２３と球止め部材２４によって囲まれた領域のうち発射通路２５を除く円形状の部分を称するものであり、発射通路２５の出口２６から放出された遊技球が転動可能な最大範囲に相当する。この遊技領域３１内には複数の障害釘が固定されており、発射通路２５の出口２６から遊技領域３１内に放出された遊技球は障害釘に当りながら遊技領域３１内を転動する。
【００１６】
遊技盤２１の遊技領域３１内には始動口３２および特別入賞口３３が固定されている。始動口３２は上面が開口するポケット状をなすものであり、遊技領域３１内を転動する遊技球は始動口３２内に上面から入賞可能にされている。特別入賞口３３は前面が開口する四角筒状をなすものである。この特別入賞口３３には扉３４が下端部の水平な軸３５を中心に回動可能に装着されており、扉３４は特別入賞口ソレノイドに連結されている。この扉３４は特別入賞口ソレノイドの断電状態で垂直な閉鎖状態になることに基づいて特別入賞口３３の前面を遊技球が入賞不能に閉鎖するものであり、図３は扉３４を閉鎖状態で示している。この扉３４は特別入賞口ソレノイドの通電状態で前方へ水平に倒れた開放状態に回動するものであり、扉３４の開放状態では遊技領域３１内を転動する遊技球が扉３４に乗って特別入賞口３３内に前面から転がり込むことが許容される。遊技盤２１の遊技領域３１内にはアウト孔３６が形成されている。このアウト孔３６は内レール２２の最低部に配置されたものであり、始動口３２内および特別入賞口３３内のいずれにも入賞しなかった遊技球は内レール２２に沿ってアウト孔３６内に転がり込む。
【００１７】
内枠３の後面側には、図４に示すように、後枠３７が左側部の垂直な軸３８を中心に回動可能に装着されている。この後枠３７は内枠３の後面を覆う閉鎖状態および内枠３の後面を開放する開放状態相互間で軸３８を中心に回動操作されるものであり、図４は後枠３７を閉鎖状態で示している。この後枠３７の後面には、図５に示すように、上端部に位置して球タンク３９が接合されている。この球タンク３９は上面が開口する容器状をなすものであり、球タンク３９内には遊技球が貯留されている。この球タンク３９にはタンクレール４０の右端部が接続されている。このタンクレール４０は右から左へ向って下降する傾斜状をなすものであり、後枠３７の後面に球タンク３９の下方に位置して接合されている。
【００１８】
後枠３７の後面には左端部に位置してダクト状の賞球通路４１が接合されている。この賞球通路４１の上端部はタンクレール４０の左端部に接続され、賞球通路４１の下端部は賞球払出装置４２に接続されている。この賞球通路４１は球タンク３９内の遊技球がタンクレール４０を通して充填されるものであり、賞球通路４１内の遊技球は賞球払出装置４２が駆動することに基づいて上皿１９内に賞品球として払出される。この賞球払出装置４２は後枠３７の後面に接合されたものであり、ステッピングモータを駆動源として遊技球の払出し動作を行う。この賞球払出装置４２は球供給機構に相当するものである。
【００１９】
後枠３７の後面には下端部に位置して右制御回路ボックス４３が接合されており、右制御回路ボックス４３内には賞球制御回路が収納されている。この賞球制御回路はマイクロコンピュータを主体に構成されたものであり、遊技球が始動口３２内および特別入賞口３３内のいずれかに入賞したときには賞球払出装置４２のステッピングモータを駆動制御することに基づいて遊技球を上皿１９内に払出す。後枠３７の後面には右制御回路ボックス４３の左方に位置して左制御回路ボックス４４が接合されており、左制御回路ボックス４４内にはメイン制御回路が収納されている。このメイン制御回路はマイクロコンピュータを主体に構成されたものであり、遊技球が始動口３２内に入賞することに基づいて大当りおよび外れの判定処理を行い、大当りを判定したときには特別入賞口ソレノイドを駆動制御することに基づいて特別入賞口３３を開放する大当り遊技を行う。
【００２０】
遊技盤２１の後面側には、図３に示すように、図柄表示器４５が接合されており、後枠３７の閉鎖状態では図柄表示器４５が遊技盤２１および後枠３７相互間に配置される。この図柄表示器４５は液晶表示器から構成されたものであり、図柄表示器４５の表示領域は前方から前枠１６の窓３０および遊技盤２１の双方を通して視覚的に認識可能にされている。この図柄表示器４５の後面側には、図４に示すように、中央制御回路ボックス４６が接合されている。この中央制御回路ボックス４６は後枠３７の開口部内に収納されたものであり、中央制御回路ボックス４６内には図柄制御回路４７が収納され、球タンク３９およびタンクレール４０のそれぞれは図柄制御回路４７の上方に配置されている。この図柄制御回路４７はマイクロコンピュータを主体に構成されたものであり、メイン制御回路が大当りを判定したときには大当りが判定されたことを遊技者に報知する装飾図柄遊技の映像を図柄表示器４５の表示領域に表示し、メイン制御回路が外れを判定したときには外れが判定されたことを遊技者に報知する装飾図柄遊技の映像を図柄表示器４５の表示領域に表示する。この図柄制御回路４７は制御回路に相当するものである。
【００２１】
図６は図柄制御回路４７が図柄表示器４５の表示領域に表示する装飾図柄遊技の映像の一例を示すものである。この装飾図柄遊技は、図６の（ａ）に示すように、左列の図柄要素と中列の図柄要素と右列の図柄要素のそれぞれとして「１」「２」「３」「４」「５」「６」「７」「８」のいずれかの数字を変動停止状態で表示し、図６の（ｂ）に示すように、遊技球が始動口３２内に入賞することに基づいて３列の図柄要素のそれぞれを変動停止状態から変動状態にするものである。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は装飾図柄を構成するものであり、装飾図柄は、図６の（ｃ）（ｄ）（ｅ）または（ｃ）（ｄ）（ｆ）に示すように、（１）左列の図柄要素（２）右列の図柄要素（３）中列の図柄要素の順序で変動停止する。
【００２２】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。
【００２３】
後枠３７には、図５に示すように、左座面４８および右座面４９のそれぞれが形成されている。右座面４９は外枠１の右側面に沿って延びる縦長な平面状をなすものであり、右座面４９には２個の貫通孔５０が形成されている。左座面４８は右座面４９に比べて縦方向の長さ寸法が小さな平面状をなすものであり、左座面４８には１個の貫通孔５０が形成されている。
【００２４】
後枠３７には、図７に示すように、前面が開口する容器状のセンタカバー５１が接合されている。このセンタカバー５１は、図８に示すように、垂直な後板５２および後板５２を取囲む周板５３を有するものであり、図７に示すように、タンクレール４０の一部と賞球通路４１の一部と賞球払出装置４２の一部のそれぞれはセンタカバー５１の後板５２によって後方から覆われ、中央制御回路ボックス４６の全てはセンタカバー５１の後板５２によって後方から覆われている。このセンタカバー５１の後板５２には複数の放熱孔５４が形成されており、図柄表示器４５で発生する熱および図柄制御回路４７で発生する熱のそれぞれは複数の放熱孔５４を通して外部に放出される。このセンタカバー５１はカバーに相当するものである。
【００２５】
センタカバー５１の周板５３には、図８に示すように、左プレート５５および右プレート５６のそれぞれが形成されている。右プレート５６は外枠１の右側面に沿って延びる縦長な平板状をなすものであり、右プレート５６には２個の貫通孔５７が形成されている。左プレート５５は右プレート５６に比べて縦方向の長さ寸法が小さな平板状をなすものであり、左プレート５５には１個の貫通孔５７が形成されている。この左プレート５５は左接合部に相当するものであり、右プレート５６は右接合部に相当するものである。
【００２６】
右プレート５６の各貫通孔５７内には、図９に示すように、ナイラッチ５９のプランジャ６０が挿入されており、各プランジャ６０は右座面４９の貫通孔５０内に挿入されている。これら各プランジャ６０は円柱状をなすものであり、各プランジャ６０の後端部にはプランジャ６０に比べて径寸法が大きな頭部６１が形成されている。これら各プランジャ６０の外周面にはグロメット６２が接合されている。これら各グロメット６２は拡径状態および縮径状態相互間で弾性変形可能なものであり、右座面４９の前方で拡径状態になることに基づいて右座面４９の貫通孔５０の周縁部に係合し、右プレート５６は各グロメット６２の係合力で右座面４９に接合されている。これら右座面４９および右プレート５６相互間にはゴム製の右クッション板６３が介在されており、右座面４９および右クッション板６３は各グロメット６２の係合力で相互に接触し、右プレート５６および右クッション板６３は各グロメット６２の係合力で相互に接触している。この右クッション板６３は右弾性部材に相当するものである。
【００２７】
左プレート５５の貫通孔５７内には、図９に示すように、ナイラッチ５９のプランジャ６０が挿入されており、プランジャ６０は左座面４８の貫通孔５０内に挿入されている。このナイラッチ５９のグロメット６２は左座面４８の前方で拡径状態になることに基づいて左座面４８の貫通孔５０の周縁部に係合し、左プレート５５はグロメット６２の係合力で左座面４８に接合されている。これら左座面４８および左プレート５５相互間にはゴム製の左クッション板６４が介在されており、左座面４８および左クッション板６４はグロメット６２の係合力で相互に接触し、左プレート５５および左クッション板６４はグロメット６２の係合力で相互に接触している。この左クッション板６４は左弾性部材に相当するものである。
【００２８】
センタカバー５１は複数のナイラッチ５９を介して後枠３７に接合されたものであり、作業者が各ナイラッチ５９の頭部６１を把持して引っ張ったときには各ナイラッチ５９のグロメット６２が貫通孔５０の内周面および貫通孔５７の内周面のそれぞれによって押圧されることに基づいて拡径状態から縮径状態になり、各ナイラッチ５９のプランジャ６０がグロメット６２と共に貫通孔５０および貫通孔５７のそれぞれから抜取られる。このセンタカバー５１は全てのナイラッチ５９を抜取ることで後枠３７から取外されるものであり、全てのナイラッチ５９のプランジャ６０を貫通孔５７および貫通孔５０のそれぞれに再び押込むことで後枠３７に再び装着される。即ち、センタカバー５１は複数のナイラッチ５９を介して遊技盤２１の後面側に着脱可能に装着されたものである。
【００２９】
センタカバー５１の周板５３には、図８に示すように、前端面に位置して右押え部６５および左押え部６６のそれぞれが形成されている。右押え部６５は、図１０の（ａ）に示すように、右制御回路ボックス４３の後面に接触するものであり、右制御回路ボックス４３は右押え部６５に接触することに基づいて後方へがたつくことが防止されている。左押え部６６は、図１０の（ｂ）に示すように、左制御回路ボックス４４の後面に接触するものであり、左制御回路ボックス４４は左押え部６６に接触することに基づいて後方へがたつくことが防止されている。
【００３０】
センタカバー５１の周板５３には、図１０の（ｃ）に示すように、非接触部６７が形成されている。この非接触部６７は周板５３の前端面のうち左プレート５５と右プレート５６と右押え部６５と左押え部６６のそれぞれを除く残余部分の全てを称するものであり、後枠３７のタンクレール４０と賞球通路４１と賞球払出装置４２のそれぞれはセンタカバー５１の非接触部６７に隙間６８を介して前方から対向している。
【００３１】
上記実施例１によれば次の効果を奏する。
センタカバー５１を左プレート５５および右プレート５６のそれぞれで遊技盤２１の後面側に接合したので、パチンコ遊技機を搬送するときに外枠１が後方へ倒れたときにはセンタカバー５１が左プレート５５および右プレート５６のそれぞれを中心に回動するように変位し、センタカバー５１の周板５３のうち外枠１の下端面から最も遠い上端部に最も大きな衝撃力が作用する。この周板５３の上端部をタンクレール４０の後方に隙間６８を介して対向配置したので、周板５３の上端部がタンクレール４０に接触し難くなるか、あるいは、周板５３の上端部がタンクレール４０に接触するときの衝撃力が弱められる。従って、タンクレール４０がセンタカバー５１からの衝撃力で直接的に変形または破損することを防止でき、タンクレール４０から賞球制御回路およびメイン制御回路等の別の部品に衝撃力が伝わることに基づいて別の部品が変形または破損することも防止できる。しかも、センタカバー５１の開口面積が隙間６８の分だけ増えるので、図柄表示器４５および図柄制御回路４７のそれぞれで発生した熱の放出効果も高まる。
【００３２】
センタカバー５１の左プレート５５を遊技盤２１の後面側にゴム製の左クッション板６４を介して接合し、センタカバー５１の右プレート５６を遊技盤２１の後面側にゴム製の右クッション板６３を介して接合した。このため、外枠１が後方へ倒れたときに左プレート５５に加わる衝撃力および右プレート５６に加わる衝撃力のそれぞれが緩和されるので、左プレート５５および右プレート５６、並びに左座面４８および右座面４９のそれぞれが衝撃力で変形または破損することを防止できる。
【００３３】
上記実施例１においては、センタカバー５１の周囲５３の上端部を球タンク３９の後方に隙間を介して対向配置しても良い。
【実施例２】
【００３４】
センタカバー５１の周板５３には、図１１に示すように、弾性部材に相当するクッション部６９が形成されている。このクッション部６９は非接触部６７の前方の隙間６８にシリコンゴムを充填することから形成されたものであり、周板５３の前端面のうち左プレート５５と右プレート５６と右押え部６５と左押え部６６のそれぞれを除く残余部分の全てに形成され、タンクレール４０および周板５３相互間の隙間６８と賞球通路４１および周板５３相互間の隙間６８と賞球払出装置４２および周板５３相互間の隙間６８のそれぞれはクッション部６９によって塞がれている。
【００３５】
上記実施例２によれば次の効果を奏する。
タンクレール４０および非接触部６７相互間の隙間にクッション部６９を設けた。このため、センタカバー５１からタンクレール４０に直接的に加わる衝撃力の緩和効果およびタンクレール４０からメイン制御回路等の別の部品に加わる間接的な衝撃力の緩和効果のそれぞれを大きく損なうことなく、タンクレール４０および非接触部６７相互間の隙間からセンタカバー５１の内部に埃等の異物が侵入することを防止できる。
【００３６】
上記実施例２においては、センタカバー５１の周囲５３の上端部を球タンク３９の後方に隙間を介して対向配置し、周囲５３の上端部および球タンク３９相互間の隙間にクッション部６９を充填しても良い。
【００３７】
上記実施例１〜２のそれぞれにおいては、透明な遊技盤２１に換えてベニヤ製の遊技盤を使用しても良い。この場合、遊技盤の遊技領域内に台枠を固定し、台枠に図柄表示器４５を固定すると良い。
【図面の簡単な説明】
【００３８】
【図１】実施例１を示す図（パチンコ遊技機の全体構成を示す前面図）
【図２】パチンコ遊技機を前枠および遊技盤のそれぞれを除去した状態で示す前面図
【図３】パチンコ遊技機を前枠の除去状態で示す前面図
【図４】パチンコ遊技機をセンタカバーの除去状態で示す後面図
【図５】後枠をセンタカバーの除去状態で示す後面図
【図６】装飾図柄遊技の映像を示す図
【図７】パチンコ遊技機の全体構成を示す後面図
【図８】（ａ）はセンタカバーを示す後面図、（ｂ）は矢印Ｘｂ視図
【図９】図７のＸ線に沿う断面図
【図１０】（ａ）は図７のＸａ線に沿う断面図、（ｂ）は図７のＸｂ線に沿う断面図、（ｃ）は図７のＸｃ線に沿う断面図
【図１１】実施例２を示す図（図１０のｃ相当図）
【符号の説明】
【００３９】
１９は上皿、２１は遊技盤、３１は遊技領域、３９は球タンク、４０はタンクレール、４２は賞球払出装置、４５は図柄表示器、４７は図柄制御回路、５１はセンタカバー、５２は後板、５３は周板、５５は左プレート、５６は右プレート、６７は非接触部、６３は右クッション板、６４は左クッション板、６９はクッション部を示している。
【図１】
0004826762.tif 000002
【図２】
0004826762.tif 000003
【図３】
0004826762.tif 000004
【図４】
0004826762.tif 000005
【図５】
0004826762.tif 000006
【図６】
0004826762.tif 000007
【図７】
0004826762.tif 000008
【図８】
0004826762.tif 000009
【図９】
0004826762.tif 000010
【図１０】
0004826762.tif 000011
【図１１】
0004826762.tif 000012